(57)【要約】【課題】  撮像装置本体と分離して使用可能なストロボユニットの小型化を図る。【解決手段】  撮像装置本体１と、撮像装置本体１に着脱可能なストロボユニット２と、を有してなり、撮像装置本体１は、撮像装置本体１とストロボユニット２とに電力を供給する撮像装置本体電源１１を備え、ストロボユニット２は、ストロボ装置３０と、ストロボ装置３０の動作を制御する制御部と、ストロボ装置３０と制御部に電力を供給するストロボユニット電源部２０と、撮像装置本体１への装着状態を判定する装着判定部２２と、を備え、装着判定部２２は、ストロボユニット２が撮像装置本体１に非装着状態であると判定した場合には、ストロボ装置３０と制御部とをストロボユニット電源部２０の電力により動作させ、ストロボユニット２が撮像装置本体１に装着状態であると判定した場合には、ストロボ装置３０と制御部とを撮像装置本体電源２０の電力により動作させる。【選択図】図３
2014016573.tif 000002
【特許請求の範囲】
【請求項１】
撮像機能を有する撮像装置本体と、
上記撮像装置本体に着脱可能なストロボユニットと、
を有してなる撮像装置であって、
上記撮像装置本体は、
上記撮像装置本体と上記ストロボユニットとに電力を供給する撮像装置本体電源、
を備え、
上記ストロボユニットは、
ストロボ発光を行うストロボ装置と、
上記ストロボ装置の動作を制御する制御部と、
上記ストロボ装置と上記制御部に電力を供給するストロボユニット電源部と、
上記撮像装置本体への装着状態を判定する装着判定部と、
を備え、
上記装着判定部は、
上記ストロボユニットが上記撮像装置本体に非装着状態であると判定した場合には、上記ストロボ装置と上記制御部とを上記ストロボユニット電源部の電力により動作させ、
上記ストロボユニットが上記撮像装置本体に装着状態であると判定した場合には、上記ストロボ装置と上記制御部とを上記撮像装置本体電源の電力により動作させる、
ことを特徴とする撮像装置。
【請求項２】
上記ストロボユニットは、
上記ストロボユニット電源部の電圧が所定電圧以下であるか否かを判定する電圧判定部と、
上記電圧判定部が上記所定電圧以下であると判定した場合に上記ストロボ装置と上記制御部の動作を停止する発光制御部と、を備える、
請求項１記載の撮像装置。
【請求項３】
上記ストロボユニット電源部は、上記ストロボ装置の発光エネルギーを蓄えるストロボ用コンデンサである、
請求項１または２記載の撮像装置。
【請求項４】
上記ストロボユニット電源部は、上記ストロボ装置の発光エネルギーを蓄えるストロボ用コンデンサと上記制御部を動作させる制御部電源とを備える、
請求項１または２記載の撮像装置。
【請求項５】
上記ストロボ用コンデンサは、上記装着判定部が装着状態であると判定した場合にのみ上記撮像装置本体電源により充電される、
請求項３または４記載の撮像装置。
【請求項６】
上記制御部電源は、上記撮像装置本体電源または上記ストロボ用コンデンサにより充電される電気二重層コンデンサまたは二次電池である、
請求項４または５記載の撮像装置。
【請求項７】
上記制御部電源は、
上記装着判定部が装着状態であると判定した場合には上記撮像装置本体電源により充電され、
上記装着判定部が非装着状態であると判定した場合には上記ストロボ用コンデンサにより充電される、
請求項６記載の撮像装置。
【請求項８】
上記制御部は、上記装着判定部が非装着状態であると判定した場合には、上記撮像装置本体から無線通信により受信する制御信号に基づいて、上記ストロボ装置の動作を制御する、
請求項１乃至７のいずれかに記載の撮像装置。
【請求項９】
上記所定電圧は、上記ストロボ装置の最低駆動電圧である、
請求項２記載の撮像装置。
【請求項１０】
上記無線通信は、光通信である、
請求項８記載の撮像装置。
【発明の詳細な説明】
【技術分野】
【０００１】
本発明は、ストロボ光を照射して撮影を行うことができるストロボユニットを有する撮像装置に関するものである。
【背景技術】
【０００２】
被写体に対してストロボ光を照射して撮影を行うために、ストロボユニットを搭載した撮像装置が知られている。
【０００３】
また、被写体に対して自由な方向からストロボ光を照射するような、本格的なストロボ撮影を行うために、ストロボユニットを撮像装置本体から離れた位置に配置して使用することができる撮像装置が知られている（例えば、特許文献１参照）。このような撮像装置では、無線通信などを利用してストロボユニットを遠隔操作で動作させることで、ユーザの好みの方向からストロボ光を照射し撮影することができる。
【０００４】
また、撮像装置本体からストロボユニットを着脱可能にする技術が知られている（例えば、特許文献２、特許文献３参照）。
【０００５】
また、撮像装置本体からレリーズユニットを着脱可能にし、撮像装置本体からレリーズユニットに対して給電可能にする技術が知られている（例えば、特許文献４参照）。
【０００６】
さらに、ストロボユニット用のコンデンサを撮像装置の他の用途の電源として用いる技術が知られている（例えば、特許文献５参照）。
【発明の概要】
【発明が解決しようとする課題】
【０００７】
しかし、特許文献１に開示されるストロボユニットは、キセノン管などのストロボ発光部の発光エネルギーを蓄えるストロボ用コンデンサとストロボ発光部を制御するための制御部とに電力を供給する電池を、撮像装置本体の電池とは別に搭載している。そのため、特許文献１の技術では、撮像装置本体と分離して使用可能なストロボユニットが大型化してしまうという問題がある。
【０００８】
本発明は上記の課題に鑑みてなされたものであって、撮像装置本体と分離して使用可能なストロボユニットの小型化を図ることができる撮像装置を提供することを目的とする。
【課題を解決するための手段】
【０００９】
本発明に係る撮像装置は、撮像機能を有する撮像装置本体と、撮像装置本体に着脱可能なストロボユニットと、を有してなる撮像装置であって、撮像装置本体は、撮像装置本体とストロボユニットとに電力を供給する撮像装置本体電源を備え、ストロボユニットは、ストロボ発光を行うストロボ装置と、ストロボ装置の動作を制御する制御部と、ストロボ装置と制御部に電力を供給するストロボユニット電源部と、撮像装置本体への装着状態を判定する装着判定部と、を備え、装着判定部は、ストロボユニットが撮像装置本体に非装着状態であると判定した場合には、ストロボ装置と制御部とをストロボユニット電源部の電力により動作させ、ストロボユニットが撮像装置本体に装着状態であると判定した場合には、ストロボ装置と制御部とを撮像装置本体電源の電力により動作させることを特徴とする。
【発明の効果】
【００１０】
本発明によれば、撮像装置本体と分離して使用可能なストロボユニットの小型化を図ることができる。
【図面の簡単な説明】
【００１１】
【図１】本発明に係る撮像装置の実施の形態を示す斜視図である。
【図２】上記撮像装置の撮像装置本体からストロボユニットを取り外した状態を示す斜視図である。
【図３】上記撮像装置のシステム構成を示すブロック図である。
【図４】上記撮像装置の回路図である。
【図５】上記撮像装置の別の実施の形態に係る回路図である。
【図６】本発明に係る撮像装置の別の実施の形態を示す斜視図である。
【図７】上記別の実施の形態に係る撮像装置の回路図である。
【図８】上記撮像装置に係る露出条件に対応した動作処理を示すフローチャートである。
【発明を実施するための形態】
【００１２】
●撮像装置（１）●
以下、本発明に係る撮像装置の実施の形態について、図面を参照しながら説明する。
【００１３】
●撮像装置の構成
図１は、本発明に係る撮像装置の実施の形態を示す斜視図である。図１において、撮像装置１００は、撮像装置としての機能を有する撮像装置本体１と撮像装置本体１に着脱可能なストロボユニット２とを有する。
【００１４】
撮像装置本体１には、ＡＦ(Auto Focus）補助光用ＬＥＤ（Light Emitting Diode）５と、撮像レンズを含む撮像光学系を構成する鏡胴ユニット５０が設けられる。
【００１５】
ストロボユニット２には、ストロボ装置の発光部（不図示）が発光するときの光を照射するためのストロボ窓３と、フォトトランジスタ４が設けられる。
【００１６】
ＡＦ補助光用ＬＥＤ５は、暗所でＡＦ動作を補助するために発光する光源として、撮像装置本体１の正面に備えられている。また、ＡＦ補助光用ＬＥＤ５は、発光した光がフォトトランジスタ４により受光されることで、撮像装置本体１とストロボユニット２との無線通信手段として機能する。
【００１７】
フォトトランジスタ４は、ＡＦ補助光用ＬＥＤ５からの光を受光して撮像装置本体１との無線通信手段として機能するために、受光した光を電圧に変換する。  
【００１８】
フォトトランジスタ４が受光できる波長は、撮像装置本体１のＡＦ補助光用ＬＥＤ５の発光波長に対応した値に設定する。このように設定することで、フォトトランジスタ４は、撮像装置本体１と通信する際に外乱光の影響を受けにくくなる。  
【００１９】
フォトトランジスタ４は、ストロボユニット２の上面に設けられる。このような位置に設けられることで、フォトトランジスタ４は、ストロボユニット２を撮像装置本体１から取り外した状態でも広い角度からの光を受光して、撮像装置本体１と通信できる。  
【００２０】
なお、以上の説明において、撮像装置本体１とストロボユニット２との無線通信手段として、ＡＦ補助光用ＬＥＤ５とフォトトランジスタ４とによる可視光通信を説明したが、これに代えて、例えば赤外線や電波等の他の無線通信手段を用いてもよい。  
【００２１】
図２は、撮像装置の撮像装置本体１からストロボユニット２を取り外した状態を示す斜視図である。  
【００２２】
撮像装置本体１には、上面のストロボユニット２が取り付けられる位置に、撮像装置本体側コネクタ６が設けられる。一方、ストロボユニット２には、撮像装置本体１と接する面に、撮像装置本体側コネクタ６と接続可能なストロボユニット側コネクタ７が設けられる。撮像装置本体側コネクタ６とストロボユニット側コネクタ７により、撮像装置本体１からストロボユニット２への送電ができる。また、撮像装置本体側コネクタ６とストロボユニット側コネクタ７により、撮像装置本体１とストロボユニット２との間で、充電制御信号と発光制御信号との有線通信をすることができる。  
【００２３】
●撮像装置のシステム構成  図３は、撮像装置１００のシステム構成を示すブロック図である。  
【００２４】
上述のように、撮像装置本体１とストロボユニット２とは、撮像装置本体側コネクタ６とストロボユニット側コネクタ７とにより電気的に接続される。  
【００２５】
撮像装置本体側コネクタ６とストロボユニット側コネクタ７とが接続されることによって、撮像装置本体１の電池からストロボユニット２に必要な電力を供給するための撮像装置本体１とストロボユニット２との電源ラインが電気的に接続される。  
【００２６】
また、撮像装置本体側コネクタ６とストロボユニット側コネクタ７とが接続されることで、ストロボユニット２のストロボユニット電源部２０の充電制御を行うための充電制御信号を撮像装置本体１とストロボユニット２との間で有線通信することができる。  
【００２７】
さらに、撮像装置本体側コネクタ６とストロボユニット側コネクタ７とが接続されることで、ストロボユニット２の発光制御を行うための発光制御信号を撮像装置本体１とストロボユニット２との間で有線通信することができる。  
【００２８】
●撮像装置本体のシステム構成  撮像装置本体１のシステム構成を説明する。撮像装置本体１は、撮像装置本体側コネクタ６のほかに、電池／電源回路１１と、検出回路１２と、撮像装置本体側無線通信回路１３（以下「無線通信回路１３」という。）と、ＣＰＵ（Central Processing Unit）１４とを備える。  
【００２９】
ストロボユニット２は、ストロボユニット側コネクタ７のほかに、発光部３０と、ストロボユニット電源部２０と、充電回路２１と、切替回路２２と、発光制御回路２３と、電圧変換供給回路２４と、発光制御信号回路２５と、ストロボユニット側無線通信回路２６（以下「無線通信回路２６」という。）とを備える。  
【００３０】
電池／電源回路１１は、撮像装置本体電源の電池の電圧を所望の電圧値に変換し、ＣＰＵ１４に電力を供給する。また、電池／電源回路１１は、撮像装置本体側コネクタ６を介して充電回路２１に電力を供給する。  
【００３１】
検出回路１２は、撮像装置本体側コネクタ６と接続していて、ストロボユニット２が撮像装置本体１に接続されたことを検出する。検出回路１２が検出した信号は、ＣＰＵ１４に送られる。  
【００３２】
無線通信回路１３は、ストロボユニット２と無線通信するための回路である。無線通信回路１３は、赤外線通信や光通信の場合はＬＥＤあるいは電球などの各種光源が、電波を利用する場合はアンテナなどが用いられる。  
【００３３】
ＣＰＵ１４は、デジタル信号処理ＩＣ（Integrated Circuit）等で構成される。ＣＰＵ１４は、電池／電源回路１１と検出回路１２と無線通信回路１３とを制御している。ＣＰＵ１４は、撮像プログラムを実行させることによって撮像装置１００の各種動作（処理）を制御する。  
【００３４】
●ストロボユニットのシステム構成  次に、ストロボユニット２のシステム構成を説明する。  
【００３５】
発光部３０は、キセノン管などの光源からなり、ストロボユニット電源部２０に蓄えたエネルギーによってストロボ発光する。ここで、発光部３０が本発明におけるストロボ装置に対応する。  
【００３６】
充電回路２１は、発光部３０をストロボ発光させてストロボ動作を行うために、充電動作を行う。  
【００３７】
ストロボユニット電源部２０は、充電回路２１によって昇圧されたエネルギー（電力）を蓄える。ストロボユニット電源部２０は、蓄えた電力を発光部３０に供給する。また、ストロボユニット電源部２０は、切替回路２２を介して蓄えた電力を発光制御回路２３や電圧変換供給回路２４や発光制御信号回路２５などの制御部に供給する。ストロボユニット電源部２０は、例えばストロボ装置用のメインコンデンサ、あるいは制御部用の電気二重層コンデンサや二次電池などの各種電池によって構成される。  
【００３８】
切替回路２２は、ストロボユニット側コネクタ７と接続することで、ストロボユニット２が撮像装置本体１に接続されているか否かを判断する。つまり、切替回路２２は、本発明における装着判定部に対応する。  
【００３９】
また、切替回路２２は、ストロボユニット電源部２０に接続している。切替回路２２は、ストロボユニット２が撮像装置本体１に接続されていない場合のみ、ストロボユニット電源部２０や充電回路２１を介した電池／電源回路１１からのエネルギーを電圧変換供給回路２４に供給する。  
【００４０】
電圧変換供給回路２４は、切替回路２２と発光制御信号回路２５と無線通信回路２６とに接続する。電圧変換供給回路２４は、切替回路２２を介して送られたストロボユニット電源部２０から送られた電力の電圧を、無線通信回路２６と発光制御信号回路２５とで使用可能な電圧に降圧する。  
【００４１】
そして、電圧変換供給回路２４は、降圧した電力を発光制御信号回路２５と無線通信回路２６とに供給する。  
【００４２】
発光制御信号回路２５は、発光制御回路２３と電圧変換供給回路２４と無線通信回路２６とに接続する。発光制御信号回路２５は、電圧変換供給回路２４から供給された電力から、発光部３０に供給される電力が指定された発光量になるようなパルス信号を生成する。  
【００４３】
また、本発明における電圧判定部と発光制御部は、発光制御信号回路２５に対応する。つまり、発光制御信号回路２５は、電圧変換供給回路２４から供給された電力が、所定電圧（発光部３０の最低駆動電圧）であるか否かを判定する。そして、発光制御信号回路２５は、所定電圧以上であると判定した場合には生成したパルス信号を第２発光制御信号として発光制御回路２３に出力する。一方、所定電圧以下であると判定した場合には、発光制御信号回路２５は、発光制御回路２３が動作しないように電力を供給しない。  
【００４４】
発光制御回路２３は、ストロボユニット側コネクタ７に接続する。発光制御回路２３は、ＣＰＵ１４から発光部３０を制御する第１発光制御信号を受信する。発光制御回路２３は、発光制御信号回路２５から第２発光制御信号を受信する。  
【００４５】
発光制御回路２３は、第１発光制御信号または第２発光制御信号を受信して、発光部３０の発光開始と停止の制御を行う。ここで、本発明における制御部は、充電回路２１と発光制御回路２３と電圧変換供給回路２４と発光制御信号回路２５に対応する。  
【００４６】
無線通信回路２６は、無線通信回路１３との信号を送受信するための回路である。無線通信回路２６は、撮像装置本体１からの情報を発光制御信号回路２５へ伝達する。  
【００４７】
なお、無線通信回路２６と発光制御信号回路２５への電源供給は、ストロボユニット電源部２０から切替回路２２と電圧変換供給回路２４とを経由して供給されている。  
【００４８】
●撮像装置の回路構成  以上の装置構成とシステム構成とからなる撮像装置の回路構成とその動作例について、図１〜３と回路図とを参照して説明する。  
【００４９】
図４は、撮像装置１００の回路図である。以下、撮像装置１００の撮像装置本体１とストロボユニット２との回路構成について説明する。  
【００５０】
まず、撮像装置本体１の回路構成を説明する。  
【００５１】
撮像装置本体１には、リチウムバッテリー１１ａとＤＣＤＣコンバーター１１ｂとが備えられる。リチウムバッテリー１１ａとＤＣＤＣコンバーター１１ｂとは、電池／電源回路１１を構成する。  
【００５２】
ＤＣＤＣコンバーター１１ｂは、リチウムバッテリー１１ａから供給された電力を所望の電圧に変換する。  
【００５３】
また、撮像装置本体１には、撮像装置本体側電源コネクタ６１（以下「コネクタ６１」という。）と撮像装置本体側充電制御信号コネクタ６２（以下「コネクタ６２」という。）と撮像装置本体側発光制御信号コネクタ６３（以下「コネクタ６３」という。）とが備えられる。コネクタ６１とコネクタ６２とコネクタ６３とにより、撮像装置本体側コネクタ６を構成する。  
【００５４】
コネクタ６１は、ＤＣＤＣコンバーター１１ｂとストロボユニット側電源コネクタ７１とを接続する。コネクタ６１により、ＤＣＤＣコンバーター１１ｂからストロボユニット２に電力を供給できる。  
【００５５】
コネクタ６２は、ＣＰＵ１４と充電回路２１とを接続し、充電制御信号の送受信ができるようにする。充電回路２１は、充電制御信号により、ストロボユニット２のメインコンデンサ２９などのストロボユニット電源部２０の充電動作の開始・停止を行う。  
【００５６】
コネクタ６３は、ストロボユニット側発光制御信号コネクタ７３と接続し、ＣＰＵ１４と、発光制御回路に相当するＩＧＢＴ（Insulated Gate Bipolar Transistor）２３ａ及びタイマー回路２５ａとを接続する。コネクタ６３により、ストロボ発光動作の制御信号を撮像装置本体１とストロボユニット２との間で通信することができる。  
【００５７】
ＣＰＵ１４には、無線通信回路１３を構成するＡＦ補助光用ＬＥＤ５が接続される。撮像装置本体１とストロボユニット２とは、ＡＦ補助光用ＬＥＤ５からの光がストロボユニット２に設けられるフォトトランジスタ４に受光されることで、双方間で無線通信をすることができる。  
【００５８】
次に、ストロボユニット２の回路構成を説明する。  
【００５９】
ストロボユニット側電源コネクタ７１（以下「コネクタ７１」という。）は、コネクタ６１と接続することで、ＤＣＤＣコンバーター１１ｂから充電回路２１に電力を供給することができる。  
【００６０】
ストロボユニット側充電制御信号コネクタ７２（以下「コネクタ７２」という。）は、コネクタ６２と接続することで、ＣＰＵ１４と充電回路２１との間で充電制御信号を通信することができる。  
【００６１】
ストロボユニット側発光制御信号コネクタ７３（以下「コネクタ７３」という。）は、コネクタ６３と接続することで、ＣＰＵ１４と、発光制御回路に相当するＩＧＢＴ（Insulated Gate Bipolar Transistor）２３ａ及びタイマー回路２５ａとを接続し、ストロボ発光動作の制御信号を通信することができる。  
【００６２】
メインコンデンサ２９は、ストロボユニット電源部２０に対応し、撮像装置本体１に装着されているときに充電回路２１によって昇圧されたエネルギー（電力）を蓄える。メインコンデンサ２９は、蓄えた電力を発光部３０に供給す
る。  
【００６３】
また、メインコンデンサ２９は、蓄えた電力を切替回路２２を介して電圧変換供給回路２４と発光制御信号回路２５と発光制御回路２３などの制御部に供給する。  
【００６４】
切替回路２２は、ストロボユニット２が撮像装置本体１から取り外されているときに、メインコンデンサ２９に蓄積された電力を電圧変換供給回路２４に供給する回路である。切替回路２２は、直列に接続された抵抗Ｒ１，Ｒ２と、直列に接続されたトランジスタＴｒ２と抵抗Ｒ３とトランジスタＴｒ１と、で構成される。  
【００６５】
抵抗Ｒ１の一端とトランジスタＴｒ２のエミッタとは、メインコンデンサ２９と充電回路２１との接続点と接続している。抵抗Ｒ２の一端とトランジスタＴｒ１のエミッタは、接地されている。抵抗Ｒ３の一端はトランジスタＴｒ２のベースと接続し、抵抗Ｒ３の他端はトランジスタＴｒ１のコレクタと接続している。抵抗Ｒ１と抵抗Ｒ２の接続点は、トランジスタＴｒ１のベースおよびストロボユニット側装着判定部２２ｆに接続している。ここで、ストロボユニット側装着判定部２２ｆは、ストロボユニット２と撮像装置本体１とが接続しているときには、撮像装置本体１の検出回路１２と接続する。  
【００６６】
電圧変換供給回路２４は、ストロボユニット２が撮像装置本体１から取り外されているときに、切替回路２２を介してメインコンデンサ２９から供給された電力を発光制御信号回路２５と無線通信回路２６とに供給する回路である。電圧変換供給回路２４は、抵抗Ｒ４、コンデンサＣ１，Ｃ２と、トランジスタＴｒ３と、ツェナーダイオードＤ１と、で構成されている。  
【００６７】
抵抗Ｒ４の一端とトランジスタＴｒ３のコレクタとは、切替回路２２のトランジスタＴｒ２のコレクタに接続している。コンデンサＣ２の一端とトランジスタＴｒ３のエミッタとは、予備電源Ｐ１に接続されている。抵抗Ｒ４の他端は、コンデンサＣ１の一端と接続していて、トランジスタＴｒ３のベースは、ツェナーダイオードＤ１のカソードと接続している。抵抗Ｒ４とコンデンサＣ１の接続点と、トランジスタＴｒ３とツェナーダイオードＤ１の接続点とは、接続している。コンデンサＣ１の他端と、コンデンサＣ２の他端と、ツェナーダイオードＤ１のアノードと、は接地されている。  
【００６８】
発光制御信号回路２５は、タイマー回路２５ａと、タイマー回路２５ａの内部にＵＶＬＯ（Under Voltage Lock-Out：低入力時誤動作防止回路）回路２５ｂを有する。発光制御信号回路２５は、予備電源Ｐ１に接続する。  
【００６９】
発光制御回路２３は、ＩＧＢＴ２３ａにより構成される。ＩＧＢＴ２３ａは、コネクタ７３と発光制御信号回路２５に接続する。  
【００７０】
無線通信回路２６は、撮像装置本体１のＡＦ補助光用ＬＥＤ５からの光を受光するフォトトランジスタ４と抵抗Ｒ５により構成される。  
【００７１】
発光部３０は、キセノン管３１とトリガコイル３２とトリガコンデンサ３３と抵抗３４により構成される。  
【００７２】
●発光動作  次にストロボユニット２の発光動作について説明する。  
【００７３】
撮像装置本体１にストロボユニット２が装着されているとき、ユーザが撮像装置本体１のレリーズスイッチ（不図示）を操作すると、ＣＰＵ１４から第１発光制御信号が出力される。第１発光制御信号は、コネクタ６３とコネクタ７３とを介し、ＩＧＢＴ２３ａに入る。  
【００７４】
ＩＧＢＴ２３ａがＯＮになるような第１発光制御信号が入ると、ＩＧＢＴ２３ａがＯＮになり、トリガコンデンサ３３に蓄えられた電荷がトリガコイル３２の１次側に流れる。  
【００７５】
トリガコイル３２の１次側に電荷が流れることで、トリガコイル３２の２次側に数ｋＶのトリガ電圧が励起される。  
【００７６】
トリガ電圧は、キセノン管３１に印加されると、キセノン管３１が発光する。  
【００７７】
キセノン管３１の発光を停止する際は、ＣＰＵ１４からＩＧＢＴ２３ａがＯＦＦになるような第１発光制御信号が送信される。その結果、ＩＧＢＴ２３ａがＯＦＦになり、キセノン管３１への放電が停止される。  
【００７８】
次に切替回路２２の動作について説明する。  
【００７９】
ストロボユニット２が撮像装置本体１に接続されている場合、トランジスタＴｒ１のベースは検出回路１２を介して接地されるためベース電圧は０となり、トランジスタＴｒ１はオフとなる。そのため、トランジスタＴｒ１のコレクタと接続するトランジスタＴｒ２もオフとなる。その結果、切替回路２２は、メインコンデンサ２９からの電力を電圧変換供給回路２４には供給しない。  
【００８０】
一方、ストロボユニット２が撮像装置本体１に接続されていない場合、トランジスタＴｒ１のベースには、抵抗Ｒ１，Ｒ２で分圧されたメインコンデンサ２９の電圧が印加されてオンとなる。そのため、トランジスタＴｒ１のコレクタと接続するトランジスタＴｒ２もオンとなる。その結果、切替回路２２は、メインコンデンサ２９からの電力を電圧変換供給回路２４に供給することができる。  
【００８１】
次に電圧変換供給回路２４の動作を説明する。  
【００８２】
切替回路２２から供給された電流の一部がコレクタ側へ供給されることで、トランジスタＴｒ３は、一定の出力電圧をエミッタ側へ出力する。ここで、トランジスタＴｒ３の出力電圧の値は、ツェナーダイオードＤ１の降伏電圧値とトランジスタＴｒ３のベース−エミッタ間の電圧の和である。  
【００８３】
次に、無線通信回路１３と、無線通信回路２６との動作を説明する。  
【００８４】
本実施の形態では、無線通信回路１３の構成として、例えばＡＦ補助光用などで使用されるＡＦ補助光用ＬＥＤ５を用いる。また、無線通信回路２６の構成として、例えばＡＦ補助光用ＬＥＤ５を受光するためのフォトトランジスタ４を用いる。  
【００８５】
ＡＦ補助光用ＬＥＤ５は、ＣＰＵ１４に接続されている。ＡＦ補助光用ＬＥＤ５は、発光強度や発光間隔あるいは発光時間などの発光態様によりストロボユニット２の制御情報が伝達可能になるように、ＣＰＵ１４により点灯が制御される。  
【００８６】
一方、ストロボユニット２側では、フォトトランジスタ４のコレクタ側が予備電源Ｐ１に、エミッタ側が抵抗Ｒ５と発光制御信号回路２５（タイマー回路２５ａとＵＶＬＯ回路２５ｂ）に接続されている。  
【００８７】
次に、タイマー回路２５ａとＵＶＬＯ回路２５ｂの動作を説明する。  
【００８８】
タイマー回路２５ａは、予備電源Ｐ１から電力が供給される。タイマー回路２５ａと無線通信回路２６は、予備電源Ｐ１を供給するストロボユニット２が撮像装置本体１から取り外されたときのみ動作する。そのため、ストロボユニット２は、撮像装置本体１に装着した状態で使用する際に誤動作してしまうことを避けることができる。  
【００８９】
フォトトランジスタ４は、ＡＦ補助光用ＬＥＤ５の光を受光すると、発光強度に対応した電流が抵抗Ｒ５に流れる。  
【００９０】
フォトトランジスタ４と抵抗Ｒ５に発生した電圧がタイマー回路２５ａへ印加されることで、所定のパルス幅の第２発光制御信号が、タイマー回路２５ａの出力端子より出力される。  
【００９１】
タイマー回路２５ａの出力端子は、ＩＧＢＴ２３ａのゲート端子へ接続されている。第２発光制御信号は、ＩＧＢＴ２３ａのゲート端子をオンまたはオフにすることができる。このため、撮像装置１００によれば、撮像装置本体１から遠隔操作でストロボユニット２の発光制御を行うことができる。  
【００９２】
ＵＶＬＯ回路２５ｂは、電圧変換供給回路２４から供給された電力が、所定電圧（発光部３０の最低駆動電圧）であるか否かを判定する。  
【００９３】
そして、ＵＶＬＯ回路２５ｂは、所定電圧以上である場合には、生成したパルス信号を第２発光制御信号としてＩＧＢＴ２３ａに出力する。一方、所定電圧以下である場合には、ＵＶＬＯ回路２５ｂは、ＩＧＢＴ２３ａが動作しないように電力を供給しない。  
【００９４】
●実施の形態に係る作用・効果  以上説明した実施の形態によれば、切替回路２２により、ストロボユニット２が撮像装置本体１に非装着状態である場合には、ストロボユニット２をストロボユニット電源部２０の電力により動作させることができる。また、切替回路２２により、ストロボユニット２が撮像装置本体１に装着状態である場合には、発光部３０と制御部とを撮像装置本体１の電池／電源回路１１の電力によりストロボユニット２を動作させることができる。  
【００９５】
そのため、以上説明した実施の形態によれば、遠隔操作時のメインコンデンサ２９と制御部とに電力を供給する電池を、電池／電源回路１１とは別にストロボユニット２に搭載する必要がないため、遠隔操作できるストロボユニット２を小型化することができる。  
【００９６】
また、以上説明した実施の形態では、ストロボユニット電源部２０の電圧が所定電圧以下であるか否かを判定し、所定電圧以下であると判定した場合にストロボ装置と制御部の動作を停止するＵＶＬＯ回路２５ｂを備える。このため、以上説明した実施の形態によれば、メインコンデンサ２９と制御部とを駆動する電池を備えないストロボユニット２を遠隔操作する際の電圧低下による誤動作を防止することができる。  
【００９７】
ここで、以上説明した実施の形態では、ストロボユニット電源部２０が発光部３０の発光エネルギーを蓄えるメインコンデンサ２９である。このため、以上説明した実施の形態によれば、遠隔操作できるストロボユニット２を小型化することができる。  
【００９８】
また、以上説明した実施の形態では、メインコンデンサ２９は、切替回路２２が装着状態であると判定した場合にのみ電池／電源回路１１により充電されるため、ストロボユニット２用の充電器などを用意することなく利用することができる。  
【００９９】
また、以上説明した実施の形態では、装着判定部が非装着状態であると判定した場合には、制御部が、撮像装置本体から無線通信により受信する制御信号に基づいてストロボ装置の動作を制御するため、ストロボユニット２の誤動作を防止することができる。  
【０１００】
また、以上説明した実施の形態では、ＵＶＬＯ回路２５ｂにより判定される所定電圧は、発光部３０の最低駆動電圧であるため、電圧低下による誤動作を防止することができる。  
【０１０１】
さらに、以上説明した実施の形態では、無線通信は光通信により実現される。そのため、例えば撮像装置本体１のＡＦ補助光用ＬＥＤ５を利用してストロボユニット２に受光用のフォトトランジスタ４を設けるだけで容易に無線通信を実現することができる。  
【０１０２】
●撮像装置（２）●  次に、本発明に係る撮像装置の別の実施の形態について、主に回路構成とその動作例の相違点を中心に説明する。  
【０１０３】
図５は、撮像装置の別の実施の形態に係る回路図である。  
【０１０４】
先に説明した実施の形態における撮像装置１００では、ストロボユニット２の切替回路２２や電圧変換供給回路２４などの制御部の電源としてメインコンデンサ２９からの電力を分圧して用いていた。一方、本実施の形態における撮像装置１００ａでは、制御部の電源としてストロボユニット２に制御部電源２８を備える点が異なる。  
【０１０５】
制御部電源２８は、電気二重層コンデンサ２８ａを有する。電気二重層コンデンサ２８ａとは、電気二重層という物理現象を利用することで蓄電効率が高められたコンデンサ（キャパシタ）である。制御部電源２８は、切替回路２２のトランジスタＴｒ２のエミッタ側に接続される。  
【０１０６】
なお、制御部電源２８の蓄電手段として、電気二重層コンデンサ２８ａに代えて二次電池などの各種電池（不図示）を用いることもできる。  
【０１０７】
電気二重層コンデンサ２８ａは、コネクタ７１と充電回路２１との間の電源ラインから電源Ｐ２を得る。電気二重層コンデンサ２８ａは、切替回路２２や電圧変換供給回路２４などの制御部のための電力を、発光部３０用のメインコンデンサ２９とは別に蓄電する。  
【０１０８】
このとき、電気二重層コンデンサ２８ａは、ストロボユニット２が撮像装置本体１に装着状態であるときには電源ラインを通じて、リチウ
ムバッテリー１１ａから電源Ｐ２を得て充電を行う。一方、ストロボユニット２が撮像装置本体１に非装着状態である場合には、電気二重層コンデンサ２８ａは、メインコンデンサ２９から充電するようにしてもよい。  
【０１０９】
●実施の形態に係る作用・効果  以上説明した実施の形態によれば、ストロボユニット電源部２０がメインコンデンサ２９と制御部電源２８とを備えるため、ストロボユニット２を遠隔操作で使用する際に安定して電力を供給することができる。  
【０１１０】
また、以上説明した実施の形態によれば、制御部電源２８が、撮像装置本体電源またはストロボ用コンデンサにより充電される電気二重層コンデンサまたは二次電池であるため、大幅な電圧変換を行うことなく制御部に電力を供給することができる。  
【０１１１】
また、以上説明した実施の形態によれば、制御部電源２８は、装着判定部が装着状態であると判定した場合には電池／電源回路１１により充電され、装着判定部が非装着状態であると判定した場合にはメインコンデンサ２９により充電されるため、ストロボユニット２を小型化することができる。  
【０１１２】
●撮像装置（３）●  次に、本発明に係る撮像装置別のさらに別の実施の形態について、先に説明した実施の形態と異なる装置構成と回路構成の相違点を中心に説明する。  
【０１１３】
図６は、本発明に係る撮像装置２００の実施の形態を示す斜視図である。撮像装置２００は、ストロボユニット２の上面に表示用ＬＥＤ８と動作切替スイッチ９を備える。  
【０１１４】
また、撮像装置２００は、ストロボユニット２の図６における右側面に、発光量切替スイッチ１０を備える。  
【０１１５】
表示用ＬＥＤ８は、ストロボユニット２を遠隔操作で使用する際に、動作可能な電力を有するか否かを撮像装置２００のユーザに通知するための手段である。  
【０１１６】
動作切替スイッチ９は、ストロボ装置に遠隔操作での動作を受け付けるかどうかを選択するためのスイッチである。  
【０１１７】
発光量切替スイッチ１０は、ストロボユニット２の発光部３０のストロボ発光量をユーザの所望の発光量に切り替えるためのスイッチである。  
【０１１８】
図７は、撮像装置２００の回路図である。表示用ＬＥＤ８は、抵抗Ｒ６とともに電圧変換供給回路２４のコンデンサＣ２に接続する。動作切替スイッチ９は、切替回路２２のトランジスタＴｒ２のエミッタ側と制御部電源２８との間に設けられる。発光量切替スイッチ１０は、発光制御信号回路２５に接続する。  
【０１１９】
動作切替スイッチ９がオフの状態では、制御部電源２８に蓄積されたエネルギーは切替回路２２と電圧変換供給回路２４に供給されない。このため、無線通信での動作は行われず、表示用ＬＥＤ８は消灯状態である。  
【０１２０】
一方、動作切替スイッチ９がオンの状態では、制御部電源２８に蓄積されたエネルギーは切替回路２２と電圧変換供給回路２４に供給される。このとき、表示用ＬＥＤ８が点灯して、無線通信でのストロボユニット２の動作が可能である。  
【０１２１】
なお、動作切替スイッチ９がオンの状態であっても、制御部電源２８に蓄積されたエネルギーが低下し、電圧変換供給回路２４の最低駆動電圧を下回った場合には、電圧変換供給回路２４がオフになり表示用ＬＥＤ８が消灯する。つまり、この場合には、ユーザはストロボユニット２が遠隔操作で動作可能であるか否かを目視で判断することができる。  
【０１２２】
発光量切替スイッチ１０は、発光制御信号回路２５のタイマー回路２５ａに接続されている。発光量切替スイッチ１０を操作することで、ストロボユニット２では、タイマー回路２５ａの出力パルス幅を切り替えることができる。つまり、ストロボユニット２では、発光量切替スイッチ１０により発光部３０の発光量を切り替えることができる。  
【０１２３】
●実施の形態に係る作用・効果  以上説明した実施の形態では、動作切替スイッチ９を備え、ユーザが遠隔操作でストロボユニット２を使用するときのみ動作するか否かを選択できる。このため、以上説明した実施の形態によれば、本来ＡＦ補助光用ＬＥＤ５からの光を受光するフォトトランジスタ４に外部からの光が入光することによる誤動作を防止できるため、ストロボユニット電源部に充電されたエネルギーの消費を抑え動作時間を長くすることができる。  
【０１２４】
また、以上説明した実施の形態によれば、表示用ＬＥＤ８を備えることにより、ストロボユニット２が遠隔操作で動作可能な状態であるか否かをユーザが容易に判断することができる。  
【０１２５】
さらに、以上説明した実施の形態によれば、発光量切替スイッチ１０を備えることにより、撮影時のストロボ発光量をユーザ所望の発光量に制御することができる。  
【０１２６】
●露出条件に対応したストロボユニットの動作処理  次に、撮像装置２００においてストロボユニット２が撮像装置本体１に非装着状態の場合に、露出条件に対応してストロボユニット２を動作させる処理について説明する。  
【０１２７】
以上説明した撮像装置２００では、ストロボユニット２が撮像装置本体１に非装着状態の場合に、発光時期や発光強度をＡＦ補助光用ＬＥＤ５とフォトトランジスタ４により通信しているものの、撮像装置本体１の撮影条件などの設定状態は通信していない。このため、撮像装置２００では、以下に説明するように、適正な撮影条件をマニュアルで設定できるようにしてもよい。  
【０１２８】
図８は、撮像装置２００に係る露出条件に対応した動作処理を示すフローチャートである。  
【０１２９】
まず、撮影を行う前にストロボユニット２は、撮像装置本体１に装着状態である。このときに、撮像装置本体１のＣＰＵ１４は、ユーザにより撮像装置本体１の調光スイッチ（不図示）が操作されたか否かをチェックする（Ｓ１０１）。調光スイッチが操作されてＯＮにならなければ（Ｓ１０１：Ｎｏ）、ＣＰＵ１４は、Ｓ１０１の処理を繰り返す。  
【０１３０】
調光スイッチがＯＮになった場合には（Ｓ１０１：Ｙｅｓ）、ＣＰＵ１４は、発光量切替スイッチ１０の発光量をチェックする（Ｓ１０２）。  
【０１３１】
次に、ＣＰＵ１４は、発光部３０のプリ発光を行い、測光を行う（Ｓ１０３）。プリ発光時に、ＣＰＵ１４は、プリ発光の測光結果に基づいて、発光量切替スイッチ１０により設定されているストロボ発光量において適正な露出となるようなＩＳＯ感度や絞り、シャッター時間などの撮影条件を演算する（Ｓ１０４）。撮影条件の演算後、その撮影条件はＣＰＵ１４に接続する撮像装置本体１の記憶部（不図示）に一時的に保持される。  
【０１３２】
ＣＰＵ１４は、ストロボユニット２が非装着状態であるか（ストロボユニット２が取り外されたか）否かをコネクタ６２などの状態から判断する（Ｓ１０５）。ストロボユニット２が取り外されていない場合には（Ｓ１０５：Ｎｏ）、ＣＰＵ１４は、Ｓ１０５の処理を繰り返す。  
【０１３３】
ストロボユニット２が取り外された場合には（Ｓ１０５：Ｙｅｓ）、ＣＰＵ１４は、ＡＦ補助光用ＬＥＤ５のＡＦ動作時の補助光動作をＯＦＦに設定する（Ｓ１０６）。  
【０１３４】
ＣＰＵ１４は、レリーズスイッチ（不図示）が軽く操作（レリーズ１）されたか否かを判断する（Ｓ１０７）。レリーズ１がされないときは（Ｓ１０７：Ｎｏ）、ＣＰＵ１４は、Ｓ１０７の処理を繰り返す。  
【０１３５】
レリーズ１がされると（Ｓ１０７：Ｙｅｓ）、ＣＰＵ１４は、ＡＦ処理を行う（Ｓ１０８）。  
【０１３６】
ＡＦ処理後、ＣＰＵ１４は、レリーズスイッチが長押し（レリーズ２）されたか否かを判断する（Ｓ１０９）。レリーズ２がされないときは（Ｓ１０９：Ｎｏ）、ＣＰＵ１４は、Ｓ１０９の処理を繰り返す。  
【０１３７】
レリーズ２がされると（Ｓ１０９：Ｙｅｓ）、ＣＰＵ１４は、撮影動作を開始する（Ｓ１１０）。  
【０１３８】
撮影動作が開始されると同時に、ＣＰＵ１４は、ストロボユニット２を動作させる無線通信を行うために、ＡＦ補助光用ＬＥＤ５を点灯させる（Ｓ１１１）。  
【０１３９】
ＡＦ補助光用ＬＥＤ５の光を受光したストロボユニット２が、発光部３０を発光させることで（Ｓ１１２）、撮影が終了する。  
【０１４０】
以上説明した実施の形態では、撮像装置本体１にストロボユニット２が装着されているときに撮影条件を演算してストロボユニット２内に保持しておくことで、その後取り外した状態の撮影においても適正な露出の撮影を行うことができる。
【符号の説明】
【０１４１】
１        ：撮像装置本体
２        ：ストロボユニット
３        ：ストロボ窓
４        ：フォトトランジスタ
５        ：ＡＦ補助光用ＬＥＤ
６        ：撮像装置本体側コネクタ
７        ：ストロボユニット側コネクタ
８        ：表示用ＬＥＤ
９        ：動作切替スイッチ
１０      ：発光量切替スイッチ
１１      ：電源回路
１１ａ    ：リチウムバッテリー
１１ｂ    ：ＤＣＤＣコンバーター
１２      ：検出回路
１３      ：撮像装置本体側無線通信回路
１４      ：ＣＰＵ
２０      ：ストロボユニット電源部
２１      ：充電回路
２２      ：切替回路
２２ｆ    ：ストロボユニット側装着判定部
２３      ：発光制御回路
２３ａ    ：ＩＧＢＴ
２４      ：電圧変換供給回路
２５      ：発光制御信号回路
２５ａ    ：タイマー回路
２５ｂ    ：ＵＶＬＯ回路
２６      ：ストロボユニット側無線通信回路
２８      ：制御部電源
２８ａ    ：電気二重層コンデンサ
２９      ：メインコンデンサ
３０      ：発光部
３１      ：キセノン管
３２      ：トリガコイル
３３      ：トリガコンデンサ
５０      ：鏡胴ユニット
６１      ：撮像装置本体側電源コネクタ
６２      ：撮像装置本体側充電制御信号コネクタ
６３      ：撮像装置本体側発光制御信号コネクタ
７１      ：ストロボユニット側電源コネクタ
７２      ：ストロボユニット側充電制御信号コネクタ
７３      ：ストロボユニット側発光制御信号コネクタ
１００    ：撮像装置
２００    ：撮像装置
【先行技術文献】
【特許文献】
【０１４２】
【特許文献１】特開２０１２−０３２６１８号公報
【特許文献２】特開平１１−１８３９８０号公報
【特許文献３】特開平０１−２６４４７９号公報
【特許文献４】特開２００６−３０８９１９号公報
【特許文献５】特許第４６１３９３９号公報
【図１】
2014016573.tif 000003
【図２】
2014016573.tif 000004
【図３】
2014016573.tif 000005
【図４】
2014016573.tif 000006
【図５】
2014016573.tif 000007
【図６】
2014016573.tif 000008
【図７】
2014016573.tif 000009
【図８】
2014016573.tif 000010